(57)【要約】【課題】耐力壁の断熱材が外壁パネルの取付調整の作業を妨げることがない体力壁の断熱構造及び断熱材取付方法を提供する。【解決手段】建物１０では、ラチス柱３０と外壁パネル１８との間に断熱材５２が取り付けられている。また、断熱材５２は、断熱材５２Ａ、５２Ｃと外壁パネル１８に対して予め設定されている調整位置２６に対向された断熱材５２Ｂ、５２Ｄとに分けられており、断熱材５２Ａ、５２Ｃが予めラチス柱３０に取り付けられ、断熱材５２Ｂ、５２Ｂがラチス３６の斜め部４２の間から挿入されて断熱材５２Ａと断熱材５２Ｃとの間、及び断熱材５２Ｃの下側を塞ぐ。これにより、ラチス柱３０に断熱性を付与できると共に、断熱材５２Ａ、５２Ｃ等の間に外壁パネル１８の取付調整のための作業スペースが開放されるので、外壁パネル１８の取付調整の作業が妨げられない。【選択図】図４
2018076747.tif 000002
【特許請求の範囲】
【請求項１】
両端の直線部の間に斜め部と直線部とが交互に設けられたラチス材が一対の縦柱の間に配置されて、前記縦柱の一方と他方とに前記ラチス材の前記直線部が交互に接続されたラチス柱と、
前記ラチス柱の屋外側に設けられた外壁パネルと、
一対の前記縦柱の間における前記外壁パネルの所定位置を除いて前記ラチス材の前記外壁パネル側を覆う複数の第１断熱材と、
屋内側から一対の前記縦柱の間における前記ラチス材と前記外壁パネルとの間に取り付け可能とされ、前記第１断熱材の間又は下側の前記第１断熱材の下端から一対の前記縦柱の下端部の間を覆う第２断熱材と、
を備える耐力壁の断熱構造。
【請求項２】
一対の前記縦柱の一方の縦柱側の直線部が一対の前記縦柱の他方の縦柱側の直線部より長くされると共に、前記一方の縦柱と前記直線部との間に、直線部の上下方向長さより短くされた支持部材が設けられて、前記支持部材を介して前記直線部が前記一方の縦柱に接続されており、
前記第２断熱材は、前記他方の縦柱の前記直線部に重ならず、前記一方の縦柱の前記直線部に重なるように設けられている請求項１に記載の耐力壁の断熱構造。
【請求項３】
両端の直線部の間に斜め部と直線部とが交互に設けられたラチス材が一対の縦柱の間に配置されて、前記縦柱の一方と他方とに前記ラチス材の前記直線部が交互に接続されたラチス柱、及び前記ラチス柱の屋外側に設けられた外壁パネルを含む耐力壁に断熱材を取り付ける耐力壁の断熱材取付方法であって、
一対の前記縦柱の間における前記外壁パネルの所定位置を除いて前記ラチス材の前記外壁パネル側を覆う複数の第１断熱材を、前記外壁パネルの取り付け前に前記ラチス柱に取り付け、
屋内側から一対の前記縦柱の間における前記ラチス材と前記外壁パネルとの間に取り付け可能とされ、前記第１断熱材の間又は下側の前記第１断熱材の下端から一対の前記縦柱の下端部の間までを覆う第２断熱材を、前記外壁パネルが取り付けられた前記ラチス柱の屋内側から取り付けることを特徴とする耐力壁の断熱材取付方法。
【請求項４】
前記ラチス柱に予め前記第１断熱材を取付けると共に、前記第２断熱材を前記ラチス柱に着脱可能に取り付けておき、
前記外壁パネルを取付ける際に、前記ラチス柱から前記第２断熱材を取り外し、
前記外壁パネルを取付けた後に、前記第２断熱材を前記ラチス柱に取り付ける請求項３記載の耐力壁の断熱材取付方法。
【発明の詳細な説明】
【技術分野】
【０００１】
本発明は、耐力壁の断熱構造及び耐力壁の断熱材取付方法に関する。
【背景技術】
【０００２】
特許文献１には、鉄骨造において耐力壁としてラチス柱が用いられた建物が記載されている。ラチス柱は、角形鋼などを用いた一対の縦材が上下の梁の間に配置されており、一対の縦材の間に、縦材に対して斜め方向に延びるように丸鋼材などを用いたラチス材が設けられる。ラチス材は、斜め部分と直線部分とが交互に形成されて、直線部分において縦材に接合されている。
【０００３】
一方、住宅などの建物としては、断熱性が向上された高断熱性建物が要求されており、このために、建物の外壁部に断熱構造が採用されている。外壁部の断熱構造としては、柱を挟むように設けられる外壁パネルと屋内パネルとの間に板状に形成された断熱材が充填配置されている。
【先行技術文献】
【特許文献】
【０００４】
【特許文献１】特開２０１４−０４７５２２号公報
【発明の概要】
【発明が解決しようとする課題】
【０００５】
ところで、軸組工法を用いた建物では、鉄骨の骨組みが形成された状態で外壁パネルが取り付けられ、骨組みが外壁パネルにより囲われている。断熱材は、外壁パネルが取り付けられた後の建物内部の施工に合わせて、屋内側から外壁部の柱の間に充填されて取り付けられる。この際、断熱材と外壁パネルとの間の空間を狭めるように断熱材が取り付けられることで、外壁部に断熱性が付与される。
【０００６】
しかしながら、ラチス柱を用いた耐力壁が設けられていると、縦材（柱）の間に、上下方向に複数のラチス材が設けられていることで、断熱材を屋内側からラチス柱と外壁パネルとの間に取り付けるのが難しい作業となっている。このため、ラチス柱部分に対しては、外壁パネルの取り付けに先立って、断熱材を取り付けておくこともが考えられるが、外壁パネルを取り付ける際に、建物内側から外壁パネルの出面を調整する必要があり、断熱材が取り付けられていると、外壁パネルの取付調整の作業の妨げとなってしまう。
【０００７】
本発明は上記事実に鑑みてなされたものであり、外壁パネルの取付調整の作業の妨げとならない耐力壁の断熱構造及び耐力壁の断熱材取付方法を提供することを目的とする。
【課題を解決するための手段】
【０００８】
上記目的を達成するための第１の態様は、両端の直線部の間に斜め部と直線部とが交互に設けられたラチス材が一対の縦柱の間に配置されて、前記縦柱の一方と他方とに前記ラチス材の前記直線部が交互に接続されたラチス柱と、前記ラチス柱の屋外側に設けられた外壁パネルと、一対の前記縦柱の間における前記外壁パネルの所定位置を除いて前記ラチス材の前記外壁パネル側を覆う複数の第１断熱材と、屋内側から一対の前記縦柱の間における前記ラチス材と前記外壁パネルとの間に取り付け可能とされ、前記第１断熱材の間又は下側の前記第１断熱材の下端から一対の前記縦柱の下端部の間を覆う第２断熱材と、を備える耐力壁の断熱構造。
【０００９】
第１の態様の耐力壁には、両端の直線部の間に斜め部と直線部とが交互に形成されているラチス材が２本の縦柱の間に配置されたラチス柱が適用されている。ラチス柱は、直線部が一対の縦柱に交互に接続されており、一対の縦柱の間に掛け渡された斜め部が上下方向に複数配置されている。
【００１０】
第１の態様では、一対の縦柱の間で、ラチス材と外壁パネルとの間に断熱材が配置されている。断熱材は、縦柱の間において外壁パネルの所定位置を除いてラチス材の外壁パネル側を覆う複数の第１断熱材、及び屋内側から一対の縦柱の間のラチス材と外壁パネルとの間に取り付け可能とされ、第１断熱材の間又下側の第１断熱材の下端から一対の縦柱の下端部の間を覆う第２断熱材により形成されている。また、外壁パネルの所定位置としては、外壁パネルの出目などを調整するための位置が適用される。
【００１１】
これにより、ラチス材と外壁パネルとの間に第１断熱材が取り付けられていても、外壁パネルの所定位置に対応する部分に第１断熱材が取り付けられていないことで、屋内側から外壁パネルの取付調整の作業が可能となる。また、第２断熱材は、屋内側からラチス材と外壁パネルとの間に挿入して取り付けできて、第１断熱材の間又は下側の第１断熱材の下端から縦柱の下端部の間までを塞ぐので、高い断熱性が得られる。
【００１２】
第２の態様は、第１の態様において、一対の前記縦柱の一方の縦柱側の直線部が一対の前記縦柱の他方の縦柱側の直線部より長くされると共に、前記一方の縦柱と前記直線部との間に、直線部の上下方向長さより短くされた支持部材が設けられて、前記支持部材を介して前記直線部が前記一方の縦柱に接続されており、前記第２断熱材は、前記他方の縦柱の前記直線部に重ならず、前記一方の縦柱の前記直線部に重なるように設けられている。
【００１３】
第２の態様では、ラチス材の直線部の長さは、一方の縦柱側が他方の縦柱側より長くされている。複数の第１断熱材の間を覆う第２断熱材は、他方の縦柱の直線部に重ならず、一方の縦柱の直線部に重なるように設けられており、斜め部の間が他方の縦柱の直線部側より広くされた一方の縦柱の直線部側に設けられている。
【００１４】
これにより、屋内側から一対の縦柱の間のラチス材と外壁パネルとの間に取り付け可能にされた第２断熱材の上下方向の長さを大きくできるので、外壁パネルの所定位置を大きく開けることができて、外壁パネルの取付調整作業のための空間を大きく確保できる。
【００１５】
第３の態様は、両端の直線部の間に斜め部と直線部とが交互に設けられたラチス材が一対の縦柱の間に配置されて、前記縦柱の一方と他方とに前記ラチス材の前記直線部が交互に接続されたラチス柱、及び前記ラチス柱の屋外側に設けられた外壁パネルを含む耐力壁に断熱材を取り付ける耐力壁の断熱材取付方法であって、一対の前記縦柱の間における前記外壁パネルの所定位置を除いて前記ラチス材の前記外壁パネル側を覆う複数の第１断熱材を、前記外壁パネルの取り付け前に前記ラチス柱に取り付け、屋内側から一対の前記縦柱の間における前記ラチス材と前記外壁パネルとの間に取り付け可能とされ、前記第１断熱材の間又は複数の前記第１断熱材の下端から一対の前記縦柱の下端部の間までを覆う第２断熱材を、前記外壁パネルが取り付けられた前記ラチス柱の屋内側から取り付けることを特徴としている。
【００１６】
第３の態様では、外壁パネルの取り付けに先立って、ラチス柱に第１断熱材を取り付けておく。また、第２断熱材は、外壁パネルの取付調整の作業等が行われた後、屋内側からラチス材と外壁パネルとの間に挿入して取り付ける。このため、耐力壁に断熱材を付与するための第１断熱材及び第２断熱材の取り付けが容易となると共に、第２断熱材が外壁パネル取付調整の作業を妨げることがない。
【００１７】
第４の態様は、第３の態様において、前記ラチス柱に予め前記第１断熱材を取付けると共に、前記第２断熱材を前記ラチス柱に着脱可能に取り付けておき、前記外壁パネルを取付ける際に、前記ラチス柱から前記第２断熱材を取り外し、前記外壁パネルを取付けた後に、前記第２断熱材を前記ラチス柱に取り付ける。
【００１８】
第４の態様では、ラチス柱に予め第１断熱材を取り付けるときに、第２断熱材を着脱可能に仮止めして取り付けておく。これにより、第１断熱材を高精度で位置決めできると共に、外壁パネルを取り付けた後に第２断熱材を取り付ける際に、第１断熱材に対して第２断熱材を精度良く位置決めできる。
【００１９】
例えば、第１断熱材及び第２断熱材に位置決め不良があると、ラチス柱に取り付けた第１断熱材と第２断熱材との間に隙間が生じて断熱性が低下する。これに対して、第１断熱材及び第２断熱材を精度良く位置決めできるので、高い断熱性が得られる。また、第１断熱材を取り付けるときに第２断熱材を仮止めしておくことで、第２断熱材を取り付けることきに、第１断熱材に対しての第２断熱材の位置決めが容易となるので、断熱材の取付作業の作業性を向上できる。
【発明の効果】
【００２０】
以上説明したように第１の態様によれば、ラチス柱を覆う第１断熱材及び第２断熱材が外壁パネルの取付調整の作業を妨げることがない、という効果を有する。
【００２１】
第２の態様によれば、外壁パネルの取付調整等の作業スペースを広くできるので、外壁パネルの取付調整等の作業効率を向上できる、という効果を有する。
【００２２】
第３の態様によれば、外壁パネルの取付調整等の作業性を低下させることなく断熱材を取り付けることができる、という効果を有する。
【００２３】
また、第４の態様によれば、第１断熱材及び第２断熱材を精度良く位置決めできて、断熱性の向上を図ることができる、という効果を有する。
【図面の簡単な説明】
【００２４】
【図１】本実施の形態に係る建物の主要部を示す上方視の断面図である。
【図２】図１の２−２線における外壁部の断面図である。
【図３】（Ａ）及び（Ｂ）は、ラチス柱を示す正面図である。
【図４】一部の断熱材の取付前を示す図２と同様の外壁部の断面図である。
【発明を実施するための形態】
【００２５】
以下、図面を参照して本発明の実施の形態を詳細に説明する。本実施の形態では、鉄骨軸組工法により構築された建物１０を例に説明する。図１には、建物１０の主要部が上方視の断面図にて示されている。また、図２には、建物１０の外壁部が図１の２−２線における断面図にて示されると共に、２−２線側から見た紙面奥側の外壁部が正面図にて示されている。なお、建物１０は、２階建て又は３階建て以上であっても良く、また、平屋であっても良い。図１及び図２には、２階立て以上の建物１０における１階部分の外壁部分が示されている。また、図２では、１階の床レベルが１ＳＬ、２階の床レベルが２ＳＬ、１階の床仕上がりレベルが１ＦＬにて示されている。
【００２６】
建物１０には、骨組みとして複数の柱や梁が設けられており、柱には、角形鋼等が用いられ、梁にはＨ形鋼等が用いられる。図２に示されるように、建物１０には、下側に鉄筋コンクリート造の基礎梁１２が設けられ、上側に天井梁（２階の床梁）１４が設けられており、基礎梁１２と天井梁１４との間に柱１６が設けられている。また、図１に示されるように、柱１６は、建物１０の角部の各々に設けられている。なお、角部の間隔（柱１６の間隔）が所定の間隔より広い場合などにおいては、柱１６の間に本又は複数本の柱１６（例えば間柱、以下、区別する場合、柱１６Ａという）が設けられている。柱１６の各々は、下端部が基礎梁１２に連結され、上端部が天井梁１４に連結されている。
【００２７】
建物１０には、屋外側の面に外壁パネル１８が設けられると共に、屋内側に内装パネル（例えば石膏ボードなど）２０が設けられて、外壁部２２が形成されている。基礎梁１２（又は基礎梁１２上の床梁）及び天井梁１４には、外壁フレーム２４が設けられている。外壁パネル１８は、所定の幅で高さ方向の長さが建物１０の階高（１ＳＬから２ＳＬまでの高さ）に応じた長さとされており、外壁パネル１８が建て起こされて外壁フレーム２４に取付けられ、ボルト及びナット等により外壁フレーム２４等に締結固定されている。
【００２８】
外壁パネル１８の裏面（屋内側の面）には、下地とされている複数の合板（図示省略）が上下方向に配置されて取り付けられており、隣接される外壁パネル１８の間が目地とされる。また、建物１０の角部（角の柱１６の外側）には、コーナー用の外壁パネル１８Ａが取付けられて、建物１０の外面が外壁パネル１８により囲われる。屋外側から見える隣接する外壁パネル１８の間の目地は、シーリング材等が用いられて目地埋めされる。
【００２９】
外壁パネル１８の各々は、目地において出面などの調整が行われて固定される。外壁パネル１８の目地における調整は、外壁パネル１８の長さ方向（建て起こしたときの高さ方向）の予め定めている高さ位置（以下、調整位置２６という）において行われる。本実施の形態では、例えば、上下方向の中間部に調整位置２６Ａが設定され、下端部に調整位置２６Ｂが設定されている。
【００３０】
本実施の形態において調整位置２６が外壁パネル１８の所定位置とされている。外壁パネル１８の取付調整には、調整位置２６において、目地の幅に応じた厚さ（例えば、厚さが９ｍｍ）及びサイズ（例えば、５０ｍｍ×３５ｍｍ）のスペーサ合板２８が用いられており、複数のスペーサ合板２８が調整位置２６において目地に嵌め込まれて、外壁パネル１８の出目調整等の取付調整が行われる。なお、図２及び図４では、説明を容易にするために、柱１６に対するスペーサ合板２８の大きさの比率を実際よりも大きくして、調整位置２６におけるスペーサ合板２８を大きく示している。
【００３１】
一方、建物１０には、耐力壁を形成するラチス柱３０が設けられている。図３（Ａ）には、２本の縦柱が用いられたラチス柱３０が正面図にて示され、図３（Ｂ）には、３本の縦柱が用いられたラチス柱３０Ｂが正面図にて示されている。なお、ラチス柱３０Ａ、３０Ｂは縦柱の間隔が異なっているが基本的構成は、同様であり、ここでは、ラチス柱３０Ａを例にラチス柱３０の構造を説明する。
【００３２】
ラチス柱３０には、弦材としての一対の縦柱３２、３４が設けられていると共に、縦柱３２、３４の間にラチス材としてのラチス３６が設けられている。縦柱３２は、一対の縦柱のうちの一方の縦柱とされ、縦柱３４は、一対の縦柱のうちの他方の縦柱とされている。縦柱３２、３４としては、例えば、角鋼材が用いられ、ラチス３６としては、例えば、丸鋼材が用いられる。なお、ラチス柱３０Ｂは、ラチス柱３０Ａとは縦柱３２、３４の間隔が異なるが、２本の縦柱３２の間に縦柱３４が設けられており、２つのラチス柱３０Ａが一体にされたのと同様の構成となっている。また、建物１０においては、縦柱３２が柱１６とされ、縦柱３４が柱１６Ａとされている。なお、縦柱３２、３４の間隔は、耐震強度、建物１０における外壁部２２の柱１６の間隔等に応じて定まったものであれば良く、図３（Ａ）では、図１、図２、及び図４におけるラチス柱３０の縦柱３２（柱１６）と縦柱３４（柱１６Ａ）の間隔よりも狭いラチス柱３０Ａとしている。
【００３３】
縦柱３２、３４には、上端部に連結部材３８が設けられており、連結部材３８がボルト及びナットを介して天井梁１４に締結固定されている。また、縦柱３２、３４は、下端部が基礎梁１２に設けられた図示しないアンカーにボルトによって締結固定されている。なお、縦柱３２、３４は、下端部に図示しない連結部材が設けられ、連結部材がボルト及びナットによって下梁（床梁）に締結固定されても良い。
【００３４】
ラチス３６は、両端の直線部４０の間に斜め部４２と直線部４４が交互に形成されており、直線部４４は、直線部４４Ａと直線部４４Ｂとが交互にされている。直線部４４Ａ、４４Ｂは、直線部４４Ｂよりも直線部４４Ａが長くされている。直線部４０、４４Ａ、４４Ｂは、斜め部４２の両端部に曲げ加工により形成されている。
【００３５】
ラチス３６は、両端の直線部４０及び直線部４４Ｂが縦柱３４側とされて直線部４４Ａが縦柱３２側とされており、直線部４０、４４Ｂが縦柱３４溶接等により接合されている。また、縦柱３２には、支持部材としてのラチスコマ４６が設けられている。ラチスコマ４６は、所定の板厚の金属板により形成されており、長さが直線部４４Ａの長さよりも短くされている。
【００３６】
ラチスコマ４６は、縦柱３２とラチス３６の直線部４４Ａとの間に配置されて、ラチスコマ４６を介して直線部４４Ａが縦柱３２に溶接等により接合されている。これにより、直線部４４Ａが縦柱３２に対して浮いた状態にされている。なお、ラチスコマ４６は、高減衰ゴム製の板材（粘弾性部材）であっても良い。
【００３７】
ラチス柱３０では、直線部４４Ａと斜め部４２との間の曲げ部が塑性ヒンジ部となっている。塑性ヒンジ部は、地震力などの外力が作用した場合に曲げ変形して振動エネルギーを吸収するエネルギー吸収部に相当し、荷重により断面が降伏することで塑性ヒンジ（降伏ヒンジ）が形成される領域となっている。また、ラチスコマ４６が設けられることで、塑性ヒンジ部が縦柱３２から浮かせられて塑性ヒンジ部の曲げ変形領域が確保されており、縦柱３２に干渉することなく変形が可能にされている。また、直線部４４Ａの両側の斜め部４２が互いに逆向きとされていることで、揺れ方向が左右逆となっても塑性ヒンジ部が機能するようにされており、建物１０は、ラチス柱３０（３０Ａ、３０Ｂ）が設けられていることで、優れた耐震性が得られる。
【００３８】
一方、建物１０では、外壁部２２に内張断熱工法（充填断熱工法）及び外張断熱工法が併用されて断熱施工が行われている。外壁部２２は、柱１６の間でありかつラチス柱３０が設けられていない部分においては、充填断熱工法が適用されて、断熱材４８が配置される。断熱材４８としては、硬質発泡ウレタンフォーム等の発泡プラスチック系断熱材料、グラスウール等の繊維系断熱材料などが、熱伝導率が所望の値以下となる厚さとされて用いられる。断熱材４８は、２本の柱１６の間（又は柱１６と柱１６Ａとの間）において、天井梁１４の下端から基礎梁１２の上端の間に充填されて配置される。
【００３９】
また、柱１６（柱１６Ａを含む）と外壁パネル１８（外壁パネル１８Ａを含む）との間には、外張断熱工法が適用されて、柱１６と外壁パネル１８との間の隙間に応じた厚さの断熱材５０が適用される。断熱材５０としては、硬質発泡ウレタンフォーム等の発泡プラスチック系断熱材料などが、柱１６と外壁パネル１８との隙間に応じた厚さとされて用いられる。本実施の形態では、断熱材５０の厚さｔを１５ｍｍ（ｔ＝１５）としている。なお、天井梁１４等の各梁には、断熱材５０と同様の断熱材料又は、繊維系断熱材料が用いられた断熱材５０Ａが取り付けられて屋外側が被覆される。
【００４０】
これに対して、ラチス柱３０が設けられている部分では、断熱材５２を用いている。断熱材５２としては、硬質発泡ウレタンフォーム等の発泡プラスチック系断熱材料などが用いられ、厚さが外壁パネル１８とラチス３６との間の隙間に合わせた厚さとされている。本実施の形態では、断熱材５２の厚さｔを４０ｍｍ（ｔ＝４０）として、断熱材５０よりも厚くしている。
【００４１】
ラチス柱３０では、ラチス３６の複数の斜め部４２が上下方向に配置されており、屋内側からラチス３６と外壁部２２との間に挿入することが困難となっている。また、ラチス柱３０の外壁パネル１８側の面に断熱材５２を予め取り付けておくと、外壁パネル１８を取り付けたときに、外壁パネル１８に対する調整位置２６が断熱材５２により隠れてしまう。
【００４２】
ここから、ラチス柱３０に取り付けられる断熱材５２は、予め複数に分割されている。図４には、外壁パネル１８及びラチス柱３０のラチスの形状に応じて分割された断熱材５２が示されている。
【００４３】
図２及び図４に示されるように、本実施の形態では、断熱材５２を四分割したのと同様の構成とされており、上から順に断熱材５２Ａ、断熱材５２Ｂ、断熱材５２Ｃ、及び断熱材５２Ｄとしている。断熱材５２から分割される断熱材５２Ａ、５２Ｃは、第１断熱材とされており、断熱材５２Ｂ、５２Ｄが第２断熱材とされている。断熱材５２Ａ、５２Ｃは、外壁パネル１８に対して設定されている調整位置２６近傍が除かれ、少なくとも調整位置２６に重ならないようにされて、断熱材５２Ａ、５２Ｃに重なっていない領域において、外壁パネル１８の取付調整等のための作業スペースを確保できるようにされている。
【００４４】
また、断熱材５２Ｂは、断熱材５２Ａと断熱材５２Ｃの間を塞ぐようにされており、断熱材５２Ｄは、断熱材５２Ｃの下端から外壁パネル１８の下端近傍（柱１６の下端部の間）塞ぐようにされている。また、断熱材５２Ａと断熱材５２Ｃとの間を塞ぐ断熱材５２Ｂは、直線部４４Ｂに重ならず、直線部４４Ｂより長い直線部４４Ａに重なるように設けられる。即ち、断熱材５２Ｂ、５２Ｄは、斜め部４２に対して、直線部４０、４４Ａ、４４Ｂの何れかに偏った領域に対応されている。また、断熱材５２Ｂは、斜め部４２に対して直線部４４Ａ側に片寄るように設けられている。また、断熱材５２Ｂ、５２Ｄに基づき、断熱材５２Ａ、５２Ｃの配置位置及び長さ（上下方向の長さ）が定まっている。
【００４５】
ここから、本実施の形態では、外壁パネル１８の上下方向中間部の調整位置２６Ａに重なる断熱材５２Ｂは、上端位置が調整位置２６Ａよりも僅かに上側とされて、直線部４４Ｂに重ならない位置とされていると共に、下端位置が直線部４４に重なる位置とれている。また、調整位置２６Ｂに重なる断熱材５２Ｄは、上端位置が調整位置２６Ｂよりも上側とされると共に、下端位置が外壁パネル１８の下端よりも僅かに上側（断熱材５２としての下端）の位置とされている。
【００４６】
また、断熱材５２Ａは、上端位置が柱１６（縦柱３２、３４）の上端位置（連結部材３８の上端位置）とされていると共に、下端位置が断熱材５２Ｂの上端位置とされている。断熱材５２Ｃは、上端位置が断熱材５２Ｂの下端位置とされていると共に、下端位置が断熱材５２Ｄの上端位置とされている。なお、断熱材５２Ａ〜５２Ｄは、１枚の断熱材５２から分割したものに限らず、各々が必要な幅及び長さに切り取られて、上下に繋げたときに、断熱材５２と同様の幅及び長さとなるように形成されたものであっても良い。
【００４７】
以下に、本実施の形態の作用として、建物１０の外壁部２２の断熱施工を説明する。建物１０では、骨組みを形成する柱１６等の柱及び天井梁１４等の梁などが予め加工される。この際、柱１６と共にラチス柱３０が形成される。また、ラチス柱３０には、断熱材５２を形成する断熱材５２Ａ〜５２Ｄが取り付けられる。断熱材５２は、断熱材５２Ａ〜５２Ｄが、ラチス柱３０の縦柱３２（柱１６）と縦柱３４（柱１６Ａ）との間に配置されると共に、ラチス３６上に隙間なく並べられる。また、断熱材５２Ａ、５２Ｃは、ラチス柱３０に取り付けられ、断熱材５２Ｂ、５２Ｄは、着脱可能にラチス柱３０に仮止めされる。なお、断熱材５２Ｂ、５２Ｄの仮止めは、外壁パネル１８が取り付けられた状態で、屋内側から取り外し可能とされた状態であれば良い。
【００４８】
建物１０は、建て方が行われて、柱１６等の柱及び天井梁１４等の梁などが組み付けられて骨組みが形成されると、柱１６（柱１６Ａを含む）の外壁パネル１８（外壁パネル１８Ａを含む）に対向する面に断熱材５０が取り付けられる。なお、断熱材５０は、断熱材５２Ａ、５２Ｄと同様に予め柱１６や天井梁１４等に取り付けられていても良い。また、断熱材５０は、少なくともラチス柱３０に隣接する柱１６（縦柱３２、３４）に取り付けられれば良い（それ以外の柱１６には、屋内側から外壁パネル１８との隙間に挿入しても良い）。
【００４９】
この後、建物１０の骨組みに外壁パネル１８が取り付けられ、取付調整等の作業が行われる。外壁パネル１８の取付調整等は、ラチス柱３０に仮止めしている断熱材５２Ｂ、５２Ｄが取り外して行われる。断熱材５２Ｂ、５２Ｄは、外壁パネル１８建て上げに先立って取り外されていることで、外壁パネル１８の間に設定されている調整位置２６の周囲が開放されて、取付調整等のための作業スペースが確保されて、外壁パネル１８の出目調整等の作業が容易となる。
【００５０】
外壁パネル１８が取り付けられると、屋内側から断熱材４８、及び断熱材５２Ｂ、５２Ｄが取り付けられる。断熱材５２Ｂ、５２Ｄは、ラチス柱３０に仮止めされているのが用いられる。断熱材５２Ｂは、斜め部４２の間から断熱材５２Ａ、５２Ｃの間に挿入されて取り付けられる。また、断熱材５２Ｄは、最下段の斜め部４２の下側から挿入されて、断熱材５２Ｃの下側に取り付けられる。これにより、ラチス柱３０では、断熱材５２Ａと断熱材５２Ｃの間が断熱材５２Ｃにより塞がれ、断熱材５２Ｃの下側が断熱材５２Ｄにより塞がれて、縦柱３２（柱１６）と縦柱３４（柱１６Ａ）との間の全面が断熱材５２により覆われる（断熱材５２が充填される）。
【００５１】
また、断熱材４８は、屋内側から柱１６の間（又は柱１６と柱１６Ａとの間）に充填されて取り付けられる。これにより、建物１０は、外壁パネル１８側の全周が断熱材により区画されて屋内と屋外との間が断熱される。この後、建物１０では、内装パネル２０が取り付けられて、内装工事の施工が行われる。
【００５２】
このように、本実施の形態では、ラチス柱３０に取り付ける断熱材５２を、外壁パネル１８の取付調整等を行うために予め設定されている調整位置２６に重なる断熱材５２Ｂ、５２Ｄとそれ以外の部分の断熱材５２Ａ、５２Ｃとに分けて、外壁パネル１８の取り付けに先立って断熱材５２Ａ、５２Ｃをラチス柱３０に取り付けている。このため、ラチス柱３０への断熱材５２Ａ、５２Ｃの取り付けは、開放された屋外側から屋内ことができるので、屋内側から取り付ける場合に比べて作業性が向上される。
【００５３】
また、ラチス柱３０に断熱材５２Ｂ、５２Ｄが取り付けられていないことにより、外壁パネル１８に対する調整位置２６の周囲が開放されるので、ラチス柱３０に断熱材５２を取り付けて断熱性を付与する場合でも、外壁パネル１８の取付調整等の作業が容易となっている。
【００５４】
さらに、断熱材５２Ｂ、５２Ｄは、ラチス３６の斜め部４２を挟んで直線部４０、４４Ａ、４４Ｂの何れか側が広くなるように形成されているので、上下に隣接する斜め部４２の間から外壁パネル１８とラチス３６との間に容易に挿入できる。しかも、断熱材５２Ｂは、直線部４４Ｂに重ならず、斜め部４２の間が直線部４４Ｂ側よりも離れた直線部４４Ａに重なるようにされているので、外壁パネル１８とラチス３６との間への挿入がより容易になっている。
【００５５】
また、ラチス柱３０に断熱材５２Ａ、５２Ｃを取り付ける際、断熱材５２Ｂ、５２Ｄを仮止めして取り付けるので、断熱材５２Ａ、５２Ｃの取り付け位置の位置決めが容易となると共に、正確に位置決めして取り付けることができる。また、断熱材５２Ｂ、５２Ｄを取り付ける場合、断熱材５２Ａ、５２Ｃを用いて断熱材５２Ｂ、５２Ｄを容易に位置決めできる。しかも、断熱材５２Ａ〜５２Ｄが位置決めされるので、断熱材５２Ｂと断熱材５２Ａ、５２Ｃとの間、及び断熱材５２Ｃと断熱材５２Ｄとの間に隙間が生じることがないので、断熱材５２Ａ〜５２Ｄの間に生じた隙間により断熱性が低下するのを抑制できる。
【００５６】
しかも、予め断熱材５２Ａ〜５２Ｄを加工できるので、建物１０の建築現場（断熱材５２の取り付け現場）において断熱材５２を加工する場合に比べて高精度に加工できて、かつ取付現場で加工する必要がないので、断熱材５２Ａ〜５２Ｄの取り付け作業が容易となる。
【００５７】
また、本実施の形態において、断熱材５２としては、任意の厚さ（例えば、断熱材５０と同様の厚さｔが１５ｍｍ）を適用できる。このとき、本実施の形態では、断熱材５０よりも厚さの厚い断熱材５２を用いることで、より断熱性を向上できる。
【００５８】
なお、以上説明した本実施の形態では、耐力壁として縦柱３２、３４の間隔が同様のラチス柱３０Ａ、３０Ｂが用いられた建物１０を例に説明したがこれに限るものではない。本発明が適用される建物の耐力壁は、縦柱の間隔が任意に設定されたものであっても良い。一対の縦柱の間隔が狭いラチス柱においても、一対の縦柱の間隔及び斜め部の間隔に応じて第１断熱材の上下方向の大きさを定めることで、一対の縦柱の間隔が比較的狭い場合もで、外壁パネルが取り付けられている状態で屋内側から第１断熱材を取り付けることができる。
【符号の説明】
【００５９】
１０    建物
１６、１６Ａ    柱
１８    外壁パネル
２０    内装パネル
２２    外壁部
２６（２６Ａ、２６Ｂ）    調整位置（外壁パネルの所定位置）
２８    スペーサ合板
３０（３０Ａ、３０Ｂ）    ラチス柱（耐力壁）
３２    縦柱（一方の縦柱）
３４    縦柱（他方の縦柱）
３６    ラチス（ラチス材）
４２    斜め部
４４Ａ    直線部（一方の縦柱側の直線部）
４４Ｂ    直線部（他方の縦柱側の直線部）
４６    ラチスコマ（支持部材）
４８、５０、５２    断熱材
５２Ａ、５２Ｃ    断熱材（第１断熱材）
５２Ｂ、５２Ｄ    断熱材（第２断熱材）
【図１】
2018076747.tif 000003
【図２】
2018076747.tif 000004
【図３】
2018076747.tif 000005
【図４】
2018076747.tif 000006